【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
複数のモバイルプラットフォームとの間でデータコンテンツをやり取りするためのシステムにおいて、前記モバイルプラットフォームの各々は、衛星に搭載された中継器経由で、ＥＩＲＰを有するリターンリンクを予め定められた位置に送信し、前記システムにおいて、前記モバイルプラットフォームの集約されたリターンリンク放射のＥＩＲＰを制御するための方法であって、
前記モバイルプラットフォームの各々についての前記リターンリンクのＥＩＲＰの確率分布を求めるステップと、
前記モバイルプラットフォームの各々についての前記リターンリンクのＥＩＲＰの前記確率分布を用いて、前記集約されたリターンリンク放射についてのＥＩＲＰの確率分布を求めるステップと、
前記集約されたリターンリンク放射についてのＥＩＲＰの前記確率分布および予め定められた確率レベルについて、集約された軸外ＥＩＲＰ密度の包絡線を求めるステップとを含む、方法。
【請求項２】
少なくとも１つのリターンリンクについてのＥＩＲＰの前記確率分布は、数値的に求められる、請求項１に記載の方法。
【請求項３】
複数のモンテカルロ試行が、前記少なくとも１つのリターンリンクのＥＩＲＰの前記確率分布を数値的に求めるために用いられる、請求項２に記載の方法。
【請求項４】
３０回のモンテカルロ試行が、前記少なくとも１つのリターンリンクのＥＩＲＰの前記確率分布を数値的に求めるために用いられる、請求項３に記載の方法。
【請求項５】
少なくとも１つのリターンリンクについてのＥＩＲＰの前記確率分布は、分析的に求められる、請求項１に記載の方法。
【請求項６】
各誤差源は正規であると仮定され、前記確率分布は複数の個々の誤差分布の各々の２乗の総和の平方根である、請求項５に記載の方法。
【請求項７】
前記集約されたリターンリンク放射についてのＥＩＲＰの確率分布を求める前記ステップは、前記リターンリンクのピークＥＩＲＰで前記リターンリンクの実際のＥＩＲＰを割ったものに等しい換算分数で、前記リターンリンクの確率分布のＥＩＲＰの各々を換算するステップを含む、請求項１に記載の方法。
【請求項８】
前記集約された軸外ＥＩＲＰ密度の包絡線の前記確率分布を求めるステップは、
前記集約された軸外ＥＩＲＰの確率の平均値を求めるステップと、
前記集約された軸外ＥＩＲＰの確率の標準偏差を求めるステップと、
前記標準偏差と、前記予め定められた確率レベルに関連する予め定められた値との積に前記平均値を加えることにより、前記集約された軸外ＥＩＲＰ密度の包絡線の前記確率分布を計算するステップとを含む、請求項１に記載の方法。
【請求項９】
前記予め定められた確率レベルは９９．７％以上である、請求項１に記載の方法。
【請求項１０】
前記予め定められた確率レベルは９９．９％以上である、請求項９に記載の方法。
【請求項１１】
前記集約されたリターンリンク放射のＥＩＲＰが、前記予め定められた確率レベルにおいて前記集約された軸外ＥＩＲＰ密度の包絡線内に入るように前記モバイルプラットフォームを制御するステップをさらに含む、請求項１に記載の方法。
【請求項１２】
複数のモバイルプラットフォームとの間でデータコンテンツをやり取りするためのシステムにおいて、前記モバイルプラットフォームの各々は、衛星に搭載された中継器経由で、ＥＩＲＰを有するリターンリンクを予め定められた位置に送信し、前記システムにおいて、前記モバイルプラットフォームの集約されたリターンリンク放射のＥＩＲＰを制御するための方法であって、
前記モバイルプラットフォームの各々についての前記リターンリンクのＥＩＲＰの確率分布を求めるステップと、
前記リターンリンクのピークＥＩＲＰで前記リターンリンクの実際のＥＩＲＰを割ったものに等しい換算分数で、前記リターンリンクの確率分布のＥＩＲＰの各々を換算するステップと、
前記モバイルプラットフォームの各々についての前記リターンリンクのＥＩＲＰの前記確率分布を用いて、前記集約されたリターンリンク放射についてのＥＩＲＰの確率分布を求めるステップと、
前記集約されたリターンリンク放射についてのＥＩＲＰの前記確率分布および予め定められた確率レベルについて、集約された軸外ＥＩＲＰ密度の包絡線を求めるステップと、
前記集約されたリターンリンク放射のＥＩＲＰが、前記予め定められた確率レベルにおいて前記集約された軸外ＥＩＲＰ密度の包絡線内に入るように前記モバイルプラットフォームを制御するステップとを含む、方法。
【請求項１３】
複数のモンテカルロ試行が、少なくとも１つのリターンリンクのＥＩＲＰの前記確率分布を数値的に求めるために用いられる、請求項１２に記載の方法。
【請求項１４】
約３０回のモンテカルロ試行が、前記少なくとも１つのリターンリンクのＥＩＲＰの前記確率分布を数値的に求めるために用いられる、請求項１３に記載の方法。
【請求項１５】
前記集約された軸外ＥＩＲＰ密度の包絡線の前記確率分布を求めるステップは、
前記集約された軸外ＥＩＲＰの確率の平均値を求めるステップと、
前記集約された軸外ＥＩＲＰの確率の標準偏差を求めるステップと、
前記標準偏差と、前記予め定められた確率レベルに関連する予め定められた値との積に前記平均値を加えることにより、前記集約された軸外ＥＩＲＰ密度の包絡線の前記確率分
布を計算するステップとを含む、請求項１２に記載の方法。
【請求項１６】
前記予め定められた確率レベルは９９．７％以上である、請求項１２に記載の方法。
【請求項１７】
前記予め定められた確率レベルは９９．９％以上である、請求項１６に記載の方法。
【請求項１８】
複数のモバイルプラットフォームとの間でデータコンテンツをやり取りするためのシステムにおいて、前記モバイルプラットフォームの各々は、衛星に搭載された中継器経由で、ＥＩＲＰを有するリターンリンクを予め定められた位置に送信し、前記システムにおいて、前記モバイルプラットフォームの集約されたリターンリンク放射のＥＩＲＰを制御するための方法であって、
前記モバイルプラットフォームの各々についての前記リターンリンクのＥＩＲＰの確率分布を求めるステップを含み、前記確率分布の各々は、複数のモンテカルロ試行によって数値的に求められ、前記方法はさらに、
前記リターンリンクのピークＥＩＲＰで前記リターンリンクの実際のＥＩＲＰを割ったものに等しい換算分数で、前記リターンリンクの確率分布のＥＩＲＰの各々を換算するステップと、
前記モバイルプラットフォームの各々についての前記リターンリンクのＥＩＲＰの前記確率分布を用いて、前記集約されたリターンリンク放射についてのＥＩＲＰの確率分布を求めるステップと、
前記集約された軸外ＥＩＲＰの確率の平均値を求めるステップと、
前記集約された軸外ＥＩＲＰの確率の標準偏差を求めるステップと、
前記標準偏差と、予め定められた確率レベルに関連する予め定められた値との積に前記平均値を加えることにより、集約された軸外ＥＩＲＰ密度の包絡線の確率分布を計算するステップと、
前記集約されたリターンリンク放射のＥＩＲＰが、前記予め定められた確率レベルにおいて前記集約された軸外ＥＩＲＰ密度の包絡線内に入るように前記モバイルプラットフォームを制御するステップとを含む、方法。
【請求項１９】
前記予め定められた確率レベルは９９．７％以上である、請求項１８に記載の方法。